(57)【要約】【課題】筐体を開いた際に第三者に誰からの着呼であるかを知られることを防止可能な通信装置を提供する。【解決手段】制御部は、着信があると（Ｓ１０ステップ）、受信した電話番号を第２格納部に一時的に格納し（Ｓ１１ステップ）受信した電話番号をサブ表示部に表示する（Ｓ１２ステップ）、続いて筐体が開いたと判定すると（Ｓ１３ステップ）、受信した電話番号と一致する電話番号が第２格納部に格納されているか否かを判定し（Ｓ１４ステップ）、一致する電話番号があると判定すると、前記電話番号に対応して電話番号を表示しないことを示す情報が格納されていると判定すると（Ｓ１５ステップ）、サブ表示部への電話番号表示を中止する（Ｓ１６ステップ）。【選択図】  図５
2004320619.tif 000002
【特許請求の範囲】
【請求項１】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
前記通信装置は、電話番号検出手段と、電話番号と該電話番号に対応付けられた情報であって筐体を開いた際に電話番号を表示するか否かを示す表示情報とを格納する格納手段と、筐体の開閉を検出する開閉検出手段と、
筐体を閉じた状態での着信時に前記電話番号検出手段が検出した電話番号を前記サブ表示部に表示させ、筐体を閉じた状態で前記開閉検出手段が筐体が開かれたことを検出した際に、前記サブ表示部に表示されている電話番号に対応する表示情報が前記格納手段に格納されていると判定すると共に前記表示情報が筐体を開いた際に電話番号を表示しないことを示す情報であると判定すると、前記サブ表示部への電話番号表示を停止させる制御手段と、を有することを特徴とする通信装置。
【請求項２】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
前記通信装置は、電話番号検出手段と、電話番号と該電話番号に対応付けられた情報である相手側の氏名及び筐体を開いた際に電話番号を表示するか否かを示す表示情報とを格納する格納手段と、筐体の開閉を検出する開閉検出手段と、
筐体を閉じた状態での着信時に前記電話番号検出手段が電話番号を検出すると、検出された電話番号に対応して前記格納手段に格納されている相手側氏名を前記サブ表示部に表示させ、筐体が閉じた状態で筐体が開かれたことを前記開閉検出手段が検出した際に、前記サブ表示部に表示されている相手側氏名に対応する表示情報が前記格納手段に格納されていると判定すると共に前記表示情報が筐体を開いた際に相手側氏名を表示しないことを示す情報であると判定すると、前記サブ表示部への相手側氏名表示を停止させる制御手段と、を有することを特徴とする通信装置。
【請求項３】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
着信時に回線から送信される電話番号を検出する電話番号検出手段と、
電話番号と該電話番号に対応する相手側氏名と、前記電話番号に対応付けて、着信時に前記サブ表示部に表示する情報が電話番号のみであるか又は、相手側氏名のみであるか又は、電話番号と該電話番号に対応する相手側氏名の両方であるか又は、電話番号と該電話番号に対応する相手側氏名の両方を表示しないかを示す情報と、を格納する格納手段と、
着信時に前記電話番号検出手段が電話番号を検出し、検出された電話番号に対応する前記情報が電話番号のみ表示する場合には、電話番号のみ表示するように前記サブ表示部を制御し、前記情報が相手側氏名のみ表示する場合には、相手側氏名のみ表示するように前記サブ表示部を制御し、前記情報が電話番号と該電話番号に対応する相手側氏名の両方である場合には、電話番号と該電話番号に対応する相手側氏名の両方を表示するように前記サブ表示部を制御し、前記情報が、電話番号と該電話番号に対応する相手側氏名の両方を表示しない場合には、電話番号と該電話番号に対応する相手側氏名の両方を表示しないように前記サブ表示部を制御する制御手段と、を有することを特徴とする通信装置。
【請求項４】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
前記通信装置は、メール発信側のメールアドレスを検出するメールアドレス検出手段と、メールアドレスと該メールアドレスに対応付けられた情報である筐体を開いた際にメールアドレスを表示するか否かを示す表示情報とを格納する格納手段と、筐体の開閉を検出する開閉検出手段と、
筐体が閉じた状態での着信時に前記メールアドレス検出手段が検出したメールアドレスを前記サブ表示部に表示させ、筐体が閉じた状態で前記開閉検出手段が筐体が開かれたことを検出した際に、前記サブ表示部に表示されているメールアドレスに対応する表示情報が前記格納手段に格納されていると判定すると共に前記表示情報が筐体を開いた際にメールアドレスを表示しないことを示す情報であると判定すると、前記サブ表示部へのメールアドレス表示を停止させる制御手段と、を有することを特徴とする通信装置。
【請求項５】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
前記通信装置は、メール発信側のメールアドレスを検出するメールアドレス検出手段と、メールアドレスと該メールアドレスに対応付けられた情報である相手側の氏名及び筐体を開いた際に相手側氏名を表示するか否かを示す表示情報とを格納する格納手段と、筐体の開閉を検出する開閉検出手段と、
筐体が閉じた状態での着信時に前記メールアドレス検出手段がメールアドレスを検出すると、検出されたメールアドレスに対応して前記格納手段に格納されている相手側氏名を前記サブ表示部に表示させ、筐体が閉じた状態で筐体が開かれたことを前記開閉検出手段が検出した際に、前記サブ表示部に表示されている相手側氏名に対応する表示情報が前記格納手段に格納されていると判定すると共に前記表示情報が筐体を開いた際に相手側氏名を表示しないことを示す情報であると判定すると、前記サブ表示部への相手側氏名表示を停止させる制御手段と、を有することを特徴とする通信装置。
【請求項６】
第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、
着信時に回線から送信されるメールアドレスを検出するメールアドレス検出手段と、
メールアドレスと該メールアドレスに対応する相手側氏名と、前記メールアドレスに対応付けて、着信時に前記サブ表示部に表示する情報がメールアドレスのみであるか又は、相手側氏名のみであるか又は、メールアドレスと該メールアドレスに対応する相手側氏名の両方であるか又は、メールアドレスと該メールアドレスに対応する相手側氏名の両方を表示しないかを示す情報と、を格納する格納手段と、
着信時に前記メールアドレス検出手段がメールアドレスを検出し、検出されたメールアドレスに対応する前記情報がメールアドレスのみ表示する場合には、メールアドレスのみ表示するように前記サブ表示部を制御し、前記情報が相手側氏名のみ表示する場合には、相手側氏名のみ表示するように前記サブ表示部を制御し、前記情報がメールアドレスと該メールアドレスに対応する相手側氏名の両方である場合には、メールアドレスと該メールアドレスに対応する相手側氏名の両方を表示するように前記サブ表示部を制御し、前記情報が、メールアドレスと該メールアドレスに対応する相手側氏名の両方を表示しない場合には、メールアドレスと該メールアドレスに対応する相手側氏名の両方を表示しないように前記サブ表示部を制御する制御手段と、を有することを特徴とする通信装置。
【発明の詳細な説明】
【０００１】
【発明の属する技術分野】
本発明は、通信装置に関する。
【０００２】
【従来の技術】
近年の携帯電話装置等の通信装置には、第１の筐体と第２の筐体とをヒンジ部を介して回動可能な所謂折り畳み式の携帯電話装置が製品化されている。
【０００３】
又、このような折り畳み式の携帯電話装置の第１の表示部にメイン液晶を設けると共に前記メイン液晶の背面側にサブ液晶を設けた構造のものが提案されている（例えば、特許文献１参照）。
【０００４】
尚、前記メイン液晶は携帯電話を折り畳んだ際にはユーザは見ることができず、一方、前記サブ液晶は携帯電話を折り畳んだ際にユーザが見る事ができる。
【０００５】
又、このようにメイン液晶とサブ液晶の２つの液晶表示装置を搭載した携帯電話が実際に製品化されており、ユーザが携帯電話を開きメール本文や画像データを見る際に前記メイン液晶にメール本文や画像データが表示される。一方、着信があると、電話番号や名称等がサブ液晶に表示される。
【０００６】
この為、ユーザは着信時にサブ液晶に表示される電話番号や名称等を見ることにより、携帯電話を開かずともだれからの着信であるかを確認することができる。
【０００７】
又、着信時にサブ液晶に電話番号や氏名等を表示し、筐体が開かれると同時に着信に応答可能な携帯電話や、筐体が開かれてからユーザが通話キーを押下することにより始めて着信に応答可能な携帯電話等があり、このように通話キーを押下することにより始めて着信に応答可能な携帯電話においては、筐体が開いた後にメイン液晶に発呼側の電話番号や名称が表示されると共にサブ液晶の発呼側電話番号表示が維持される。
【０００８】
【特許文献１】
特開２００２−３５４５４２号公報（第５頁〜第７頁及び図１）。
【０００９】
【発明が解決しようとする課題】
このような携帯電話において、着信時に筐体を開いてもサブ液晶には発呼側の名称が表示されるままである。この為、ユーザが着信に出ようとして携帯を開くと、サブ液晶に表示されている発呼側の名称を第三者に見られることとなる。
【００１０】
【課題を解決するための手段】
本発明はこのような課題を解決する為のものであり、請求項１記載の通信装置は、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、前記通信装置は、電話番号検出手段と、電話番号と該電話番号に対応付けられた情報であって筐体を開いた際に電話番号を表示するか否かを示す表示情報とを格納する格納手段と、筐体の開閉を検出する開閉検出手段と、筐体を閉じた状態での着信時に前記電話番号検出手段が検出した電話番号を前記サブ表示部に表示させ、筐体を閉じた状態で前記開閉検出手段が筐体が開かれたことを検出した際に、前記サブ表示部に表示されている電話番号に対応する表示情報が前記格納手段に格納されていると判定すると共に前記表示情報が筐体を開いた際に電話番号を表示しないことを示す情報であると判定すると、前記サブ表示部への電話番号表示を停止させる制御手段と、を有することを特徴とする。
【００１１】
請求項２記載の通信装置であり、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、前記通信装置は、電話番号検出手段と、電話番号と該電話番号に対応付けられた情報である相手側の氏名及び筐体を開いた際に電話番号を表示するか否かを示す表示情報とを格納する格納手段と、筐体の開閉を検出する開閉検出手段と、筐体を閉じた状態での着信時に前記電話番号検出手段が電話番号を検出すると、検出された電話番号に対応して前記格納手段に格納されている相手側氏名を前記サブ表示部に表示させ、筐体が閉じた状態で筐体が開かれたことを前記開閉検出手段が検出した際に、前記サブ表示部に表示されている相手側氏名に対応する表示情報が前記格納手段に格納されていると判定すると共に前記表示情報が筐体を開いた際に相手側氏名を表示しないことを示す情報であると判定すると、前記サブ表示部への相手側氏名表示を停止させる制御手段と、を有することを特徴とする。
【００１２】
請求項３記載の通信装置であり、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、着信時に回線から送信される電話番号を検出する電話番号検出手段と、電話番号と該電話番号に対応する相手側氏名と、前記電話番号に対応付けて、着信時に前記サブ表示部に表示する情報が電話番号のみであるか又は、相手側氏名のみであるか又は、電話番号と該電話番号に対応する相手側氏名の両方であるか又は、電話番号と該電話番号に対応する相手側氏名の両方を表示しないかを示す情報と、を格納する格納手段と、着信時に前記電話番号検出手段が電話番号を検出し、検出された電話番号に対応する前記情報が電話番号のみ表示する場合には、電話番号のみ表示するように前記サブ表示部を制御し、前記情報が相手側氏名のみ表示する場合には、相手側氏名のみ表示するように前記サブ表示部を制御し、前記情報が電話番号と該電話番号に対応する相手側氏名の両方である場合には、電話番号と該電話番号に対応する相手側氏名の両方を表示するように前記サブ表示部を制御し、前記情報が、電話番号と該電話番号に対応する相手側氏名の両方を表示しない場合には、電話番号と該電話番号に対応する相手側氏名の両方を表示しないように前記サブ表示部を制御する制御手段と、を有することを特徴とする。
【００１３】
請求項４記載の通信装置であり、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、前記通信装置は、メール発信側のメールアドレスを検出するメールアドレス検出手段と、メールアドレスと該メールアドレスに対応付けられた情報である筐体を開いた際にメールアドレスを表示するか否かを示す表示情報とを格納する格納手段と、筐体の開閉を検出する開閉検出手段と、筐体が閉じた状態での着信時に前記メールアドレス検出手段が検出したメールアドレスを前記サブ表示部に表示させ、筐体が閉じた状態で前記開閉検出手段が筐体が開かれたことを検出した際に、前記サブ表示部に表示されているメールアドレスに対応する表示情報が前記格納手段に格納されていると判定すると共に前記表示情報が筐体を開いた際にメールアドレスを表示しないことを示す情報であると判定すると、前記サブ表示部へのメールアドレス表示を停止させる制御手段と、を有することを特徴とする。
【００１４】
請求項５記載の通信装置であり、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、前記通信装置は、メール発信側のメールアドレスを検出するメールアドレス検出手段と、メールアドレスと該メールアドレスに対応付けられた情報である相手側の氏名及び筐体を開いた際に相手側氏名を表示するか否かを示す表示情報とを格納する格納手段と、筐体の開閉を検出する開閉検出手段と、筐体が閉じた状態での着信時に前記メールアドレス検出手段がメールアドレスを検出すると、検出されたメールアドレスに対応して前記格納手段に格納されている相手側氏名を前記サブ表示部に表示させ、筐体が閉じた状態で筐体が開かれたことを前記開閉検出手段が検出した際に、前記サブ表示部に表示されている相手側氏名に対応する表示情報が前記格納手段に格納されていると判定すると共に前記表示情報が筐体を開いた際に相手側氏名を表示しないことを示す情報であると判定すると、前記サブ表示部への相手側氏名表示を停止させる制御手段と、を有することを特徴とする。
【００１５】
請求項６記載の通信装置であり、第１の筐体と第２の筐体がヒンジ部を介して結合され、前記第１の筐体は表面と裏面夫々にメイン表示部とサブ表示部とを有し、前記メイン表示部は、筐体を閉じた状態では見ることができない位置に配置された通信装置であり、着信時に回線から送信されるメールアドレスを検出するメールアドレス検出手段と、メールアドレスと該メールアドレスに対応する相手側氏名と、前記メールアドレスに対応付けて、着信時に前記サブ表示部に表示する情報がメールアドレスのみであるか又は、相手側氏名のみであるか又は、メールアドレスと該メールアドレスに対応する相手側氏名の両方であるか又は、メールアドレスと該メールアドレスに対応する相手側氏名の両方を表示しないかを示す情報と、を格納する格納手段と、着信時に前記メールアドレス検出手段がメールアドレスを検出し、検出されたメールアドレスに対応する前記情報がメールアドレスのみ表示する場合には、メールアドレスのみ表示するように前記サブ表示部を制御し、前記情報が相手側氏名のみ表示する場合には、相手側氏名のみ表示するように前記サブ表示部を制御し、前記情報がメールアドレスと該メールアドレスに対応する相手側氏名の両方である場合には、メールアドレスと該メールアドレスに対応する相手側氏名の両方を表示するように前記サブ表示部を制御し、前記情報が、メールアドレスと該メールアドレスに対応する相手側氏名の両方を表示しない場合には、メールアドレスと該メールアドレスに対応する相手側氏名の両方を表示しないように前記サブ表示部を制御する制御手段と、を有することを特徴とする。
【００１６】
【発明の実施の形態】
本発明を適用してなる実施例装置は、着信時に筐体が閉じた状態では、サブ液晶に発呼側の電話番号を表示し、筐体を開くとサブ液晶に何も表示しなくなるものである。
【００１７】
図１は、本発明を適用してなる実施例装置の斜視図である。
【００１８】
図１は、通信装置（例えば、携帯電話装置）の斜視図であり、例えば液晶表示装置からなるメイン表示部１４を搭載した第１の筐体１００と、テンキーや通話キーや切キー等からなる入力部１６を搭載した第２の筐体２００とがヒンジ部３００を介して回動可能に接続されている。
【００１９】
図２は、図１に示す通信装置の背面側から見た斜視図であり、図２において、第１の筐体１００の背面にはサブ表示部１５が配置されており、一方、第２の筐体２００の背面にはアンテナ２が配置されており、前記第１の筐体１００と第２の筐体２００とはヒンジ部３００を介して回動可能に接続されている。
【００２０】
又、前記通信装置は、開いた状態では、図１及び図２に示す状態となるが、図１及び図２に示す第１の筐体１００を矢印Ｂ方向に閉じることにより、筐体を閉じることが可能である。又、前記第１の筐体１００を閉じた状態では、前記メイン表示部１４は第２の筐体２００の入力部１６と対向する位置にある為にユーザがメイン表示部１４を見ることができない。一方、前記サブ表示部１５は筐体を閉じた状態でもユーザが見ることができる。
【００２１】
図３は、本発明を適用してなる実施例装置である携帯電話装置のブロック図である。
【００２２】
図３において、通信部１は、後述するベースバンド部３からの信号をアンテナ２を介して基地局へ発信したり、アンテナ２を介して基地局からの電波を受信したりする。
【００２３】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００２４】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２５】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００２６】
マイクロプロセッサからなる制御回路１１は、例えばＲＯＭ（Ｒｅａｄ  Ｏｎｌｙ  Ｍｅｍｏｒｙ）からなる第１格納部１２に格納されたシステムプログラムに基づいて、各部を制御すると共に、着信時に無線回線を介して相手側から電話番号データを受信したか否かの判定を行う。
【００２７】
第２格納部１３は、例えばＳＲＡＭ（Ｓｔａｔｉｃ  Ｒａｎｄｕｍ  ＡｃｃｅＳＳ  Ｍｅｍｏｒｙ）からなり、図４に示すように、着信時に相手先から受信した電話番号データを一時的に格納する領域４００と、電話番号と氏名とを対応付けて格納するとともに、前記電話番号に対応付けて、筐体を開いた際に電話番号や氏名の表示を中止するか否かを示す情報を格納する領域５００の２つの領域を有している。
【００２８】
メイン表示部１４は、図１に示す第１の筐体１００に搭載された例えば液晶表示装置からなる表示装置であり、相手側の氏名や電話番号、メールアドレス、メール本文、待ちうけ画像等を表示可能である。
【００２９】
サブ表示部１５は、図２に示す第１の筐体１００に搭載された例えば液晶表示装置からなる表示装置であり、着信時に相手側の氏名や電話番号、メールアドレス等を表示し、待ちうけ時には現在時刻等を表示する。
【００３０】
入力部１６は、テンキー、通話キー、切キー、電源キー等の各種キーからなる。
【００３１】
開閉検出部１７は、筐体の開閉を検出する。
【００３２】
次に本実施例装置の動作について以下に説明する。
【００３３】
図３は、本実施例装置の動作を示すフロー図である。
【００３４】
図３のＳ１０ステップにおいて、制御回路１１は、ベースバンド部３から着信があることを示す信号を検出するとＳ１１ステップへ処理を進める。
【００３５】
Ｓ１１ステップでは、制御回路１１は、通信部１、ベースバンド部３を介して発呼側の電話番号データを受信し第２格納部１３の領域４００に一時的に格納する。
【００３６】
続くＳ１２ステップでは、制御回路１１は、Ｓ１１ステップで受信した電話番号データをサブ表示部１５に表示させ、Ｓ１３ステップへ処理を進める。
【００３７】
Ｓ１３ステップでは、制御回路１１は、開閉検出部１７から筐体が開いたことを示す信号を検出するとＳ１４ステップへ処理を進め、そうでなければ、Ｓ１９ステップへ処理を進める。
【００３８】
Ｓ１４ステップでは、制御回路１１は、前記Ｓ１１ステップで前記第２格納部１３の領域４００に格納した電話番号と一致する電話番号が第２格納部１３の領域５００に格納されていると判定するとＳ１５ステップへ処理を進め、そうでなければ、Ｓ１７ステップへ処理を進める。
【００３９】
Ｓ１５ステップでは、制御回路１１は、前記Ｓ１４ステップで一致すると判定した電話番号に対応して、筐体を開いた際に電話番号を表示させないことを示す情報が前記第２格納部１３に格納されていると判定するとＳ１６ステップへ処理を進め、そうでなければ、Ｓ１７ステップへ処理を進める。
【００４０】
Ｓ１６ステップでは、制御回路１１は、前記サブ表示部１５の電話番号表示を停止し、Ｓ１７ステップへ処理を進める。
【００４１】
Ｓ１７ステップでは、制御回路１１は、入力部１６から通話キーの押下があると判定すると、Ｓ１８ステップへ処理を進め、そうでなければ、Ｓ１９ステップへ処理を進める。
【００４２】
Ｓ１８ステップでは、制御回路１１は、通信部１及びベースバンド部３を制御することにより相手側との通話を開始し、処理を終了する。
【００４３】
Ｓ１９ステップでは、制御回路１１は、通信部１及びベースバンド部３を制御することにより回線を断とする。
【００４４】
以上説明したように本実施例装置では、折り畳み式の携帯電話を閉じた状態で着信があると、サブ表示部１５に発呼側の電話番号を表示し、発呼側電話番号の表示中に携帯電話が開かれると、前記サブ表示部１５に発呼側の電話番号を何も表示しない状態となる。
【００４５】
この為、着呼時に携帯電話を開いた為に第三者にだれからの着呼であるかを知られるといった問題を回避することが可能である。
【００４６】
又、携帯電話を開いた際にサブ表示部１５に発呼側の電話番号を継続して表示するか否かを相手先毎に設定可能である為、だれからの着呼であるかを第三者に知られても良い相手先からの着呼は携帯電話を開いた後でもサブ表示部１５に発呼側の電話番号を継続して表示させることが可能である。
【００４７】
尚、本実施例では、着信時に受信した電話番号をサブ表示部１５に表示する構成としたが、着信時に受信した電話番号に対応する氏名を第２格納部１３から読み込み、サブ表示部１５に表示する構成としても良く、又、筐体が開かれた際にサブ表示部１５に氏名を表示しない構成としても良い。
【００４８】
又、本実施例では、相手先毎に携帯電話を開いた際に発呼側の情報を表示するか否かを設定可能としたが、相手先毎に携帯電話を開いた際に発呼側の電話番号のみ表示する設定にしたり、或いはニックネームのみ表示する設定にしてもよい。
【００４９】
更に、本実施例では、通話における着呼の際に携帯電話を開くとサブ表示部１５に発呼側の情報を継続して表示するか否かを設定可能としたが、メールの着信の際にサブ表示部１５にメール送信者の情報（例えば、メールアドレスや該メールアドレスに対応する氏名）を表示させ、携帯電話を開くとサブ表示部１５に前記メール送信者の情報を継続して表示するか否かを設定可能としても良い。
【００５０】
又、相手先毎に、携帯電話を開いた際にサブ表示部１５に発呼側の電話番号のみを表示するか、又は発呼側の氏名のみを表示するか、又は発呼側の電話番号と氏名の両方を表示するか、又は発呼側の情報を何も表示しないかをユーザが設定可能としても良い。このような構成としても又、着信時に携帯電話のサブ表示部１５に相手側の情報が表示され誰からの着信であるかを第三者に知られることがない。
【００５１】
【発明の効果】
本発明は、筐体を開いた際に第三者に誰からの着呼であるかを知られることを防ぐ。
【図面の簡単な説明】
【図１】本発明を適用してなる実施例装置の斜視図である。
【図２】本発明を適用してなる実施例装置の斜視図である。
【図３】本実施例装置のブロック図である。
【図４】本実施例装置の第２格納部１３の格納形態を示す図である。
【図５】本実施例装置のフロー図である。
【符号の説明】
１  電話通信部
３  ベースバンド部
１１  制御回路
１３  第２格納部
１４  メイン表示部
１５  サブ表示部
１６  入力部
１７  開閉検出部
【図１】
2004320619.tif 000003
【図２】
2004320619.tif 000004
【図３】
2004320619.tif 000005
【図４】
2004320619.tif 000006
【図５】
2004320619.tif 000007